(57)【要約】【課題】容器口部が開封されている事実を表示することができ、しかも、容器の開封後においても、ＩＣタグのＩＣチップに入力されている情報を読み取ることが可能なＩＣタグ付き包装容器を提供する。【解決手段】本発明によれば、容器口部２０に装着されているインナーキャップ３０と、インナーキャップ３０に被せて設けられているオーバーキャップ４０と、ＩＣタグ１０とを備えた包装容器において、オーバーキャップ４０のスカート４２の内面と、インナーキャップ３０の筒状壁３２の外面との間には係合手段が設けられており、ＩＣタグ１０は、ＩＣチップ３とアンテナ５と開封検出用回路９とを備えた樹脂フィルム１からなり、インナーキャップ３０の開栓までの過程で生じるオーバーキャップ４０とインナーキャップ３０との相対的移動により、開封検出用回路９が破断するように、ＩＣタグ１０が、インナーキャップ３０またはオーバーキャップ４０に取り付けられている。【選択図】図２
2014005032.tif 000002
【特許請求の範囲】
【請求項１】
螺子係合により容器口部に設けられているインナーキャップと、該インナーキャップに被せて設けられているオーバーキャップと、ＩＣタグとを備えた包装容器において、
前記オーバーキャップは、頂壁パネルと、頂壁パネル周縁から降下したスカートとを有しており、
前記インナーキャップは、頂板と、頂板周縁から降下しており且つ内面に容器の口部外面に螺子係合する螺条を備えた筒状壁とを有していると共に、
前記オーバーキャップのスカート内面と、前記インナーキャップの筒状壁外面との間には、該インナーキャップに被せられたオーバーキャップの回転を該インナーキャップに伝達するための係合手段が設けられており、
前記インナーキャップを開栓する過程で生じるオーバーキャップとインナーキャップとの相対的移動により、前記ＩＣタグのＩＣチップに接続されている回路が破断するように、前記ＩＣタグが、該インナーキャップまたはオーバーキャップに取り付けられていることを特徴とする包装容器。
【請求項２】
前記インナーキャップの頂板上面と、該インナーキャップに被せられている前記オーバーキャップの頂壁パネル下面との間には間隔が保持されており、
前記オーバーキャップの頂壁パネル下面または前記インナーキャップの頂板上面の何れかに前記ＩＣタグが取り付けられており、
前記インナーキャップの頂板上面または前記オーバーキャップの頂壁パネル下面には、前記ＩＣタグの前記回路を破断するためのカッターとなる突起が形成されている請求項１に記載の包装容器。
【請求項３】
前記オーバーキャップのスカート下端にはストッパーバンドが設けられており、該ストッパーバンドは、前記インナーキャップの筒状側壁の下端よりも下方に位置し且つ該オーバーキャップの上昇及び／または降下が規制されるように、容器の口部外面と係合している請求項２に記載の包装容器。
【請求項４】
前記インナーキャップの筒状壁の外面及び前記オーバーキャップのスカート内面には、互いに対応して当接する多面体部が形成されており、これら多面体部が、前記係合手段として機能するものであり、前記オーバーキャップを前記インナーキャップが開栓する方向に回転させたとき、該オーバーキャップの上昇は前記ストッパーバンドにより抑制され、該インナーキャップは開栓方向に回転して上昇し、前記ＩＣタグの前記回路が前記突起により破断され、該回路の破断後に、ストッパーバンドと容器口部との係合が解除され或いは該ストッパーバンドが該オーバーキャップのスカートから切り離される請求項３に記載の包装容器。
【請求項５】
前記ストッパーバンドが前記オーバーキャップのスカート下端から切り離し可能に設けられている請求項３に記載の包装容器。
【請求項６】
前記インナーキャップの筒状壁の外面及び前記オーバーキャップのスカート内面には、それぞれ、互いに螺子係合する螺条が形成されており、これら螺条が前記係合手段として機能すると共に、該筒状壁外面とスカート内面との螺子係合は、前記インナーキャップの筒状壁の内面と容器の口部外面との螺子係合に対して逆螺子の関係にあり、前記ストッパーバンド切り離し後、該オーバーキャップの回転に伴う降下により、前記ＩＣタグの前記回路が、前記突起により破断され、さらにオーバーキャップの回転を続けることにより、前記インナーキャップは開栓方向に回転する請求項５に記載の包装容器。
【請求項７】
前記オーバーキャップの頂壁パネルの下面には、下方に突出した突出部が形成されており、前記インナーキャップの頂板の上面には、前記突出部が嵌合し得る凹部が形成されており、該突出部と凹部とが前記係合手段であり、前記ストッパーバンドを切り離して前記オーバーキャップを押し込んだとき、前記ＩＣタグの前記回路が、前記突起により破断されると同時に、前記突出部が前記凹部内に入り込んで係合し、該オーバーキャップによる該インナーキャップの開栓方向への回転が可能となる請求項５に記載の包装容器。
【請求項８】
前記オーバーキャップのスカート内面にはカット爪が形成されており、前記インナーキャップの筒状壁外面には、鉛直方向に延びている縦溝と該縦溝の下端から周方向且つ開栓方向に延びている有端のラチェット溝が形成されており、前記ＩＣタグは、少なくとも該ラチェット溝に被さるようにして設けられており、
前記ストッパーバンドが存在している状態において、前記カット爪は、前記縦溝と係合して該オーバーカットの回転が抑止されており、該ストッパーバンドを切り離した状態で、該カット爪が該縦溝を降下して前記ラチェット溝と係合し、これにより、該オーバーキャップの開栓方向への回転が可能となり、該オーバーキャップを開栓方向に回転させたとき、該カット爪が該ラチェット溝を開栓方向に移動し、該ラチェット溝に被さるようにして設けられているＩＣタグの前記回路を破断し、さらに、該オーバーキャップを開栓方向に回転することにより、該カット爪が該ラチェット溝の周端部に当接し、前記インナーキャップを開栓方向に回転せしめる請求項５に記載の包装容器。
【請求項９】
前記ＩＣタグのＩＣチップには、情報送受信用アンテナに繋がる回路と開封検出用回路とが接続されており、前記インナーキャップの開栓に際しては、開封検出用回路が選択的に破断される請求項１乃至８の何れかに記載の包装容器。
【発明の詳細な説明】
【技術分野】
【０００１】
本発明は、容器口部のシールに使用される包装部材に関するものであり、より詳細には、製品情報が記憶されたＩＣタグが取り付けられている包装部材に関する。
【背景技術】
【０００２】
従来、各種の製品には、製造年月日、製造・販売者名、使用期限などの製品情報を表示したバーコードが広く利用されている。ところで、バーコードは、コード化された情報をリーダーで読取るため、バーコードの印刷面を平面とする必要があり、このため、ボトルやキャップなどの包装材料の分野では、バーコードの印刷面が制限され、また、コード化できる情報量も限られたものとなってしまうという問題がある。
【０００３】
そこで、最近では、ＩＣタグを用いた情報表示の技術が利用されるようになってきた。ＩＣタグとは、ＲＦＩＤ(Radio  Frequency  Identification)とも呼ばれるものであり、所定の情報が記憶されたＩＣチップを無線アンテナとともに樹脂やガラス等の誘電体材料に埋め込んでタグ（荷札）状に形成した超小型の通信端末である。このようなＩＣタグは、無線通信により、ＩＣチップに記憶された製品情報を読取るものであり、例えばＩＣチップのメモリには、数百バイトのデータを記録することができ、多くの製品情報を記録できるという利点がある。また、ＩＣタグは、非接触で記録された情報を読取ることができ、接触による摩耗などの問題もなく、さらには、商品の形態に併せた形状に加工したり、小型化、薄型化なども可能であるという利点がある。
例えば、特許文献１には、頂板にＩＣタグが埋め込まれたキャップが開示されている。
【０００４】
このようなＩＣタグを、容器の開封履歴の表示のために使用することも提案されており、例えば、特許文献２には、キャップを開封したとき、ＩＣタグ中のＩＣチップとアンテナとを結ぶリード線が断線することにより、開封を検出する方法が提案されている。
また、特許文献３には、容器口部に装着されるキャップ本体に連結された上蓋を開封した時、キャップ本体に設けられているアンテナが破断され、これにより、開封の事実を認識できることが開示されている。
【０００５】
これら特許文献２及び３の何れも、ＩＣタグが破断されているという事実を外部読み取り装置により検知することにより、開封の事実を認識できるというものであるが、未だ解決すべき課題が残されている。
【０００６】
例えば、特許文献２で提案されている技術では、容器本体或いは容器本体に属する部分（具体的には、開封時にキャップから切り取られるタンパーエビデントバンド）にＩＣタグのＩＣチップを設け、容器本体に螺子締結されるキャップにアンテナ及びリード線が設けられ、キャップを開封する際にリード線が破断される。
しかるに、容器本体にＩＣチップを設けるときには、アンテナ及びＩＣチップとアンテナとを接続するリード線は、容器とは別体のキャップに設けることとなるが、このような構成は実施不可能といってよい。即ち、アンテナ及びＩＣチップがリード線で接続されているＩＣタグをキャップに設け、キャップを容器口部に装着した後に、ＩＣチップの部分のみを容器側に張り付けるという手段が採用されることとなるが、ＩＣチップが垂れ下がっている状態でキャップを容器口部に装着しなければならず、その作業（キャッピング）が極めて困難となるし、キャッピング時にＩＣチップの破損やリード線の破断を生じ易い。さらに、キャップから垂れ下がったＩＣチップの容器への貼り付けも容易ではない。
また、開封時にキャップから切り取られるタンパーエビデントバンド（ＴＥバンド）にＩＣチップが設けられるような場合には、ＴＥバンドへのＩＣチップの装着が困難であると同時に、ＩＣチップとアンテナとを結ぶリード線の破断による開封証明を十分に発揮することができない。即ち、かかる態様では、ＩＣタグの破断は、ＴＥバンドの切り離しを示すものであり、ＴＥバンドの切り離しはキャップの開封履歴を示す。このことから理解されるように、ＩＣタグの破断による開封履歴証明がなくとも、ＴＥバンドの切り離しによりキャップの開封履歴は証明されてしまうからである。
【０００７】
さらに、特許文献３の手段では、容器口部をシールしている蓋材とは別個に設けられた蓋材にＩＣタグが設けられており、容器口部をシールしている蓋材の開封操作は、ＩＣタグが設けられている蓋材を用いてのＩＣタグの破壊操作とは全く別個に行われる。従って、ＩＣタグが設けられている蓋材を取り外した後、さらに、容器口部をシールしている蓋材を開封しなければならない。換言すると、この態様では、ＩＣタグが取り付けられている蓋材を容器口部のシールに適用することができない。ＩＣタグの破断のために、ＩＣタグが取り付けられる部分には開口が形成されていなければならないからである。
即ち、引用文献３においては、容器口部の開封を行うためには、この操作とは別個に、前もってＩＣタグを破壊するための操作及びＩＣタグが取り付けられている蓋材（外蓋）の取り外しを行う必要があり、容器口部の開封に手間がかかるという欠点があり、さらなる改善が求められている。
【０００８】
さらに、特許文献２や３の公知の手段では、開封後には、ＩＣチップに記憶された情報を読み取ることができないため、ＩＣタグの利用が制限されるという問題もある。
【先行技術文献】
【特許文献】
【０００９】
【特許文献１】特開２００５−３２１９３５号公報
【特許文献２】特許４０４７８２１号
【特許文献３】特開２０１１−２１３３７８号公報
【発明の概要】
【発明が解決しようとする課題】
【００１０】
従って、本発明の目的は、互いに切り離されることがなく且つ一体に成形されているキャップにＩＣタグが取り付けられており、ＩＣタグが取り付けられているキャップのキャッピング等の装着作業を容易に行うことができ、さらに、容器口部をシールしている蓋材の開封作業に際してＩＣタグを破断することができ、容器口部の開封操作を、一連の操作で簡単かつ容易に行うことができ、しかも、ＩＣタグの破断により容器口部が開封されている事実を確実に表示することができるＩＣタグ付き包装容器を提供することにある。
また、本発明の他の目的は、容器の開封後においても、ＩＣタグのＩＣチップに入力されている情報を読み取ることが可能なＩＣタグ付き包装容器を提供することにある。
【００１１】
本発明によれば、螺子係合により容器口部に設けられているインナーキャップと、該インナーキャップに被せて設けられているオーバーキャップと、ＩＣタグとを備えた包装容器において、
前記オーバーキャップは、頂壁パネルと、頂壁パネル周縁から降下したスカートとを有しており、
前記インナーキャップは、頂板と、頂板周縁から降下しており且つ内面に容器の口部外面に螺子係合する螺条を備えた筒状壁とを有していると共に、
前記オーバーキャップのスカート内面と、前記インナーキャップの筒状壁外面との間には、該インナーキャップに被せられたオーバーキャップの回転を該インナーキャップに伝達するための係合手段が設けられており、
前記インナーキャップを開栓する過程で生じるオーバーキャップとインナーキャップとの相対的移動により、前記ＩＣタグのＩＣチップに接続されている回路が破断するように、前記ＩＣタグが、該インナーキャップまたはオーバーキャップに取り付けられていることを特徴とする包装容器が提供される。
【発明の効果】
【００１２】
本発明の包装容器では、ＩＣタグは、インナーキャップ或いはオーバーキャップの何れかに設けられ、別個の部材にまたがって設けられているわけではなく、さらに、ＴＥバンドのような開封に際して切り離される部分にＩＣタグを設けるものではないため、ＩＣタグの取り付けを容易に行うことができ、インナーキャップの容器口部への装着やオーバーキャップのインナーキャップへの装着に際して、ＩＣタグの破断を生じることもない。
【００１３】
また、オーバーキャップの開栓に連動してインナーキャップの開栓が行われ、この操作で生じるオーバーキャップとインナーキャップとの相対的移動により、ＩＣタグのＩＣチップに接続されている回路が破断される。従って、ＩＣタグの回路が破断しているときには、インナーキャップは容器口部から取り除かれている。即ち、このインナーキャップを容器口部のシールに適用すれば、容器口部のシール解除の操作を別個に行う必要はなく、開封操作に手間がかからない。
【００１４】
さらに、ＩＣタグは、ＩＣチップと、ＩＣチップに情報送受信するためのアンテナを備えた回路が形成されており（即ち、ＩＣチップとアンテナとがリード線により接続されている）、オーバーキャップによる開栓によって、このアンテナ回路が破断すると、ＩＣチップの情報を外部装置により読み取ることができなくなくなる。即ち、情報の読み取り不能によって、開封の事実を認識することができる。本発明では、ＩＣタグの取り付けやオーバーキャップやインナーキャップのキャッピングに際してのＩＣタグの破断が有効に防止されているため、このような情報の読み取り不能が開封の事実を証明する精度が極めて高く、内容物の品質保証機能やいたずら防止等の機能が著しく高められている。
特に、本発明においては、ＩＣタグは、開封に際して切り取られるＴＥバンドに設けられているわけではないため、ＴＥバンドの開封履歴証明とは全く独立して、ＩＣタグの破断による開封履歴証明が発揮され、例えば、ＴＥバンドとの併用により、より一層、開封履歴証明能を高めることができる。
【００１５】
本発明においては、ＩＣタグに容器の開封を示すための専用の回路（開封検出用回路）が設けられていることが好ましく、例えば、この開封検出用回路が前述したアンテナ回路と並列してＩＣチップに接続されていることが好ましい。即ち、開封に際しては、この開封検出用回路を選択的に破断せしめ、この回路の破断に伴って生じる電気抵抗変化に付随する電圧変化などを外部読み取り装置で読み取り、開封の事実を知ることができる。この態様によれば、ＩＣチップ、アンテナ或いはＩＣチップとアンテナとを結ぶリード線などは破壊されずに、開封表示が行われ、従って、開封された場合においても、ＩＣチップに記憶された情報は、そのまま読み取ることができる。
このように、開封検出用回路が設けられている場合には、ＩＣチップの故障と開封とを明確に区別とができ、その開封履歴証明能は一層高められる。さらに、開封後にもＩＣチップの情報を読み取ることができ、ＩＣチップの情報を、各種キャンペーンなど、種々の目的に利用することができる。
【００１６】
本発明の包装容器においては、
前記インナーキャップの頂板上面と、該インナーキャップに被せられている前記オーバーキャップの頂壁パネル下面との間には間隔が保持されており、
前記オーバーキャップの頂壁パネル下面または前記インナーキャップの頂板上面の何れかに前記ＩＣタグが取り付けられており、
前記インナーキャップの頂板上面または前記オーバーキャップの頂壁パネル下面には、前記ＩＣタグの前記回路を破断するためのカッターとなる突起が形成されていること、
という手段を採用することが好ましく、このような手段を採用することにより、種々の手段を採用して、開封に際してのＩＣタグの回路の破断及びインナーキャップの開栓方向への回転による開封を容易に且つ確実に行うことができる。
【００１７】
例えば、本発明において、
（１）前記オーバーキャップのスカート下端にはストッパーバンドが設けられており、該ストッパーバンドは、前記インナーキャップの筒状側壁の下端よりも下方に位置し且つ該オーバーキャップの上昇及び／または降下が規制されるように、容器の口部外面と係合していること、
という手段を採用することにより、容器の開封用前のオーバーキャップの移動によるＩＣタグの回路の破断を有効に防止することができる。
【００１８】
また、上記のようなストッパーバンドが設けられている包装容器では、
（２）前記インナーキャップの筒状壁の外面及び前記オーバーキャップのスカート内面には、互いに対応して当接する多面体部が形成されており、これら多面体部が、前記係合手段として機能するものであり、前記オーバーキャップを前記インナーキャップが開栓する方向に回転させたとき、該オーバーキャップの上昇は前記ストッパーバンドにより抑制され、該インナーキャップは開栓方向に回転して上昇し、前記ＩＣタグの前記回路が前記突起により破断され、該回路の破断後に、ストッパーバンドと容器口部との係合が解除され或いは該ストッパーバンドが該オーバーキャップのスカートから切り離されること、
という態様を採用することができる。
この態様では、直ちにオーバーキャップを回転させてのＩＣタグの回路破断及び容器の開封を行うことができる。
また、インナーキャップは、オーバーキャップが被せられている状態で容器口部から取り外されるが、オーバーキャップから容易に分離することができ、インナーキャップのみをリシールに容易に利用することができるという利点もある。
【００１９】
特に、本発明において、
（３）前記ストッパーバンドが前記オーバーキャップのスカート下端から切り離し可能に設けられていること、
という態様を採用した場合には、ストッパーバンドを切り離した後、ＩＣタグの回路破断及び容器の開封操作が行われるため、ストッパーバンドの存在自体によっても、容器が未開封の状態にあることを確認することができ、いたずら防止機能を高め、容器内容物の品質保証機能をより高めることができる。
【００２０】
また、上記のように、ストッパーバンドがオーバーキャップから切り離し可能に設けられている場合には、
（４）前記インナーキャップの筒状壁の外面及び前記オーバーキャップのスカート内面には、それぞれ、互いに螺子係合する螺条が形成されており、これら螺条が前記係合手段として機能すると共に、該筒状壁外面とスカート内面との螺子係合は、前記インナーキャップの筒状壁の内面と容器の口部外面との螺子係合に対して逆螺子の関係にあり、前記ストッパーバンド切り離し後、該オーバーキャップの回転に伴う降下により、前記ＩＣタグの前記回路が、前記突起により破断され、さらにオーバーキャップの回転を続けることにより、前記インナーキャップは開栓方向に回転すること、
という手段を採用することもできる。
この態様は、ストッパーバンドを切り離した後、直ちにオーバーキャップを回転させるという動作のみでＩＣタグの回路破断及び容器の開封を行うことができるので、上記（３）の態様の利点に加え、操作が極めて容易であるという利点がある。
【００２１】
さらに、ストッパーバンドがオーバーキャップから切り離し可能に設けられている場合には、
（５）前記オーバーキャップの頂壁パネルの下面には、下方に突出した突出部が形成されており、前記インナーキャップの頂板の上面には、前記突出部が嵌合し得る凹部が形成されており、前記ストッパーバンドを切り離して前記オーバーキャップを押し込んだとき、前記ＩＣタグの前記回路が、前記突起により破断されると同時に、前記突出部が前記凹部内に入り込んで係合し、該オーバーキャップによる該インナーキャップの開栓方向への回転が可能となること、
或いは、
（６）前記オーバーキャップのスカート内面にはカット爪が形成されており、前記インナーキャップの筒状壁外面には、鉛直方向に延びている縦溝と該縦溝の下端から周方向且つ開栓方向に延びているラチェット溝が形成されており、前記ＩＣタグは、少なくとも該ラチェット溝に被さるようにして設けられており、
前記ストッパーバンドが存在している状態において、前記カット爪は、前記縦溝と係合して該オーバーカットの回転が抑止されており、該ストッパーバンドを切り離した状態で、該カット爪が該縦溝を降下して前記ラチェット溝と係合し、これにより、該オーバーキャップの開栓方向への回転が可能となり、該オーバーキャップを開栓方向に回転させたとき、該カット爪が該ラチェット溝を開栓方向に移動し、該ラチェット溝に被さるようにして設けられているＩＣタグの前記回路を破断し、さらに、該オーバーキャップを開栓方向に回転することにより、該カット爪が該ラチェット溝の周端部に当接し、前記インナーキャップを開栓方向に回転せしめること、
という態様も採用することができる。
【００２２】
上記（５）の態様では、ストッパーバンドを切り離した後、一旦、オーバーキャップを押し込むという操作が必要となる。このため、幼児などが開封を行い難いという所謂チャイルドレジスタンス性に優れ、特に、内容物が医薬品などの容器に好適に適用される。
また、上記（６）の態様では、ＩＣタグの開封検出用回路の破断を、突起の押し込みではなく、カット爪による切り裂きにより行うため、回路が破断されるような位置へのＩＣタグの取り付け（位置合わせ）が極めて容易であるという利点がある。
【図面の簡単な説明】
【００２３】
【図１】本発明の包装容器に取り付けられるＩＣタグの斜視図。
【図２】本発明のスライド型包装容器の口部での側断面図。
【図３】図２の包装容器の口部での分解斜視図。
【図４】図２の包装容器におけるオーバーキャップの切断斜視図。
【図５】本発明の逆螺子型包装容器の口部での側断面図。
【図６】図５の包装容器の口部での分解斜視図。
【図７】図５の包装容器におけるオーバーキャップの切断斜視図。
【図８】図５の包装容器におけるＩＣタグの開封検出用回路破断時の側断面図。
【図９】本発明の嵌合型包装容器の口部での側断面図。
【図１０】図９の包装容器の口部での分解斜視図。
【図１１】図９の包装容器におけるオーバーキャップの切断斜視図。
【図１２】図９の包装容器におけるＩＣタグの開封検出用回路破断時の側断面図。
【図１３】本発明のラチェット式包装容器の口部での側断面図。
【図１４】図１３の包装容器の口部での分解斜視図。
【図１５】図１４の包装容器におけるオーバーキャップの側断面図。
【図１６】本発明を既存の包装容器に適用する方法を説明するための図。
【発明を実施するための形態】
【００２４】
＜ＩＣタグ＞
本発明で用いるＩＣタグを示す図１において、全体として１０で示すこのＩＣタグは、フィルム基材１の表面にＩＣチップ３及び金属アンテナ５を含む回路が設けられており、金属アンテナ５は、リード線７により、ＩＣチップ３に電気的に接続されている。さらに、このＩＣタグ１０には、開封検出用回路９が金属アンテナ５を含む回路とは並列に設けられており、この回路９もリード線７を介してＩＣチップ３に接続されている。
【００２５】
フィルム基材１は、一般に熱溶着可能な熱可塑性樹脂から形成されている。このような熱可塑性樹脂としては特に制限されないが、一般には、このＩＣタグ１０が取り付けられるオーバーキャップやインナーキャップ（これらのキャップについては後述する）を構成する樹脂基材と同様の樹脂が使用される。例えば、ポリオレフィン製のキャップにＩＣタグ１０を設ける場合には、ポリオレフィンによりフィルム１を形成するのがよい。また、ＩＣチップ３や金属アンテナ５がポリエチレンテレフタレート樹脂フィルムに設けられた状態で市販されているＩＣタグ１０もあるが、このような場合には、適宜、酸変性オレフィン系樹脂などの接着剤を用いて、ポリエチレンテレフタレート樹脂フィルム１の裏面にポリエチレンやポリプロピレン等のポリオレフィン樹脂層を積層させておくことが、キャップにＩＣタグ１０を取り付ける上で好ましい。
また、フィルム基材１としては、紙を使用することもできる。
【００２６】
ＩＣチップ３は、フリップチップ実装などにより、上記のアンテナ３に導通するように設けられるものであり、このＩＣタグ１０が取り付けられる製品に関する情報が記憶されるものであり、上記のアンテナ３を介しての信号の送信により、所定の情報が記憶され、またアンテナ３を介してＩＣタグ１０に記憶された情報が読み取られるものである。
【００２７】
尚、上記のＩＣチップ３は、一般に、ポリイミド、ビスマレイミド樹脂などの電気絶縁性の硬化樹脂等により、封止されて保護されている。さらに、紙の貼り合わせによりＩＣチップ３を封止することもできる。
【００２８】
このようなＩＣチップ３には、既に述べた通り、包装容器に充填されている内容物に関する情報（例えば生産者、製造業者、生産年月日、出荷日時など）や容器に関する情報などが入力されており、開封を示す電圧変化などの情報も入力されている。このような情報の入力や出力は、高周波信号により行われ、一般に９００ＭＨｚ付近のＵＨＦ帯や１３．５６ＭＨｚの周波数帯が主として利用される。
【００２９】
ＩＣチップ３への信号の送受信のために使用されるアンテナ５は、使用される信号の周波数に応じた共振長さなどを有する。
また、開封検出用回路９は、これが切断したときの抵抗変化によりＩＣチップ３での電圧変化などをもたらすものであればよい。
【００３０】
上記のようなアンテナ５や開封検出用回路９、及びこれらをＩＣチップ３に接続するリード線７は、通常、アルミニウム、銅、銀、金などの低抵抗金属の薄膜（厚みが５乃至５０μｍ程度）からなるものであり、例えば金属箔の貼り合わせやメッキ、エッチング、銀ペーストなどの導電性インキを用いての印刷により形成することができる。
【００３１】
尚、フィルム基材１の厚みは、その表面にＩＣチップ３を実装する作業やアンテナ５、開封検出用回路９及びリード線７を形成するためのメッキ作業などを行い得る程度の強度を示すようなものであればよく、後述するキャップへの装着形態に応じて適宜の厚みとすることができる。例えば、フィルム基材１の裏面（ＩＣチップ等が設けられていない側の面）或いは表面の金属製アンテナが存在しない部分でのヒートシールによりキャップに装着する場合には、比較的薄肉でよいが、嵌め込みなどによりキャップに装着する場合には、比較的厚肉とすることが必要である。このような観点から、フィルム基材１の厚みは、一般に、５乃至１０００μｍ程度の範囲とし、この範囲内で、装着形態に応じた厚みとすることが好適である。
また、図１では、フィルム基材１は円板形状を有しているが、その取り付け形態や回路の破断位置などに応じて適当な形状を有していればよく、円形である必要はない。
【００３２】
上述したＩＣタグ１０が取り付けられる本発明の包装容器は、その開封形式及びＩＣタグの破断形式に応じて、スライド型、逆螺子型、嵌合型及びラチェット型の４つのタイプに大きく分けられる。
【００３３】
＜スライド型包装容器＞
図２乃至図４を参照して、このタイプの包装容器では、ボトル等の容器の口部（全体として２０で示す）に、螺子係合によりインナーキャップ（全体として３０で示す）が装着されており、このインナーキャップ３０の上に、オーバーキャップ（全体として４０で示す）が被せられている。
【００３４】
容器口部２０の外面には、上方に螺条２１が形成され、その下方に顎部２３が形成され、さらにその下方には、最も径の大きい突出部であるサポートリング２５が形成されている。
このような容器口部２０の外面は、タイプの異なる他の包装容器でも基本的には同じである。
【００３５】
インナーキャップ３０は、頂板(top plate)３１と、頂板周縁から降下している筒状壁３２とを有しており、筒状壁３２の内面には、図２に示されているように、螺条３３が設けられている。即ち、この螺条３３と容器口部２０の外面の螺条２１との螺子係合により、インナーキャップ３０は、容器口部２０に保持されている。
【００３６】
また、上記の筒状壁３２の下端には、インナーキャップ２０をがっちりと保持するための保持バンド３４が筒状壁３２と一体に設けられている。即ち、この保持バンド３４は、図２に示されているように、容器口部２０の外面の顎部２３の下側にまで延びており、その内面には、顎部２３の下側の面と係合している係合突起（或いはフラップ片）３４ａが形成されており、かかる係合突起３４ａと顎部２３との係合により、インナーキャップ２０ががっちりと容器口部２０の外面に保持されるようになっている。
【００３７】
さらに、図３から理解されるように、筒状壁３２の外面は多面体形状となっており、この面が、後述するオーバーキャップ４０と係合するようになっている。
【００３８】
一方、インナーキャップ３０の頂板３１の下面の周縁部分には、前記筒状壁３２と間隔をおいて、インナーリング３５が設けられている（図２参照）。即ち、容器口部２０の上端は、筒状壁３２とインナーリング３５との間の空間に入り込んでおり、インナーリング３５の外面が容器口部２０の上端部分の内面に密着することにより、容器内部の密封性が確保されるようになっている。
【００３９】
また、頂板３１の上面には、その中心部分に、カッターとなる突起３６が形成されており、この突起３６により、オーバーキャップ４０に取り付けられているＩＣタグ１０の開封検出用回路９を破断するようになっている。
【００４０】
上述したインナーキャップ２０に被せて固定されるオーバーキャップ４０は、頂壁パネル(top panel)４１と、頂壁パネル４１の周縁から降下したスカート４２とを有している。
【００４１】
スカート４２の内面の上部には、図４に示されているように、前述したインナーキャップ３０の筒状壁３２の外面の多面体に対応する多面体部４３が形成されている。即ち、この多面体部４３が、インナーキャップ３０の筒状壁３２の外面の多面体と係合することにより、オーバーキャップ４０の回転によってインナーキャップ３０を回転させることが可能となる。
また、スカート４２の外面には、オーバーキャップ４０の回転を容易にするためのローレット４２ａが形成されている。
【００４２】
また、スカート４２の下端には、図２に示されているように、ストッパーとなるバンド部４４が形成されており、この内面には、係合突起４４ａが形成されており、この係合突起４４ａが、容器口部２０の外面のサポートリング２５の下面と係合することにより、オーバーキャップ４０の上昇が規制されるようになっている。この場合、係合突起４４ａは、サポートリング２５の下面に強く係合し、その係合力は、インナーキャップ３０の保持バンド３４（係合突起３４ａ）と顎部２３との係合力よりも強くなるように設定されている。
さらに、スカート４２の下端とバンド部４４との境界部には、その内面に段差４５が形成されている。即ち、この段差４５がサポートリング２５の上面と係合することにより、オーバーキャップ４０の降下が規制されるようになっている。
【００４３】
さらに、頂壁パネル４１の下面には、その中心部分に、インナーキャップ３０の頂板３１の上面に設けられている突起３６を受け入れ可能な凹部４６が設けられている。また、この下面には、図３に示されているように、前述したＩＣタグ１０が取り付けられている。尚、図４では、このＩＣタグ１０は省略されている。
【００４４】
ＩＣタグ１０は、先にも述べた通り、ＩＣタグ１０の樹脂フィルム１の大きさを調整しての嵌め込みにより、頂壁パネル４１の下面に取り付けられていてもよいし、さらに、接着剤或いはヒートシールなどにより、取り付けられていてもよい。
この場合、凹部４６上に位置する部分が突起３６により破断される箇所となるため、この位置にＩＣタグ１０の開封検出回路９が位置するように、ＩＣタグ１０が取り付けられる。
【００４５】
図２に示されているように、容器口部２０に装着されているインナーキャップ３０に被せての打栓によりオーバーキャップ４０を設けたとき、スカート４２の下端とバンド部４４の係合突起４４ａは、容器口部２０の外面のサポートリング２５の下側に位置するが、バンド部４４とスカート４２との境界部の段差４５がサポートリング２５の上面に係合するため、オーバーキャップ４０の頂壁パネル４１の下面とインナーキャップ３０の頂板３１の上面との間に一定の間隔が確保され、この結果、ＩＣタグ１０（開封検出用回路９）は破断されずに保持されている。
【００４６】
上記のような構造を有する本発明の包装体では、オーバーキャップ４０を開栓方向に回転すると、スカート４２の内面の多面体部４３とインナーキャップ３０の筒状壁３２の外面（多面体面）とが係合するため、インナーキャップ３０も開栓方向に回転することとなる。
従って、インナーキャップ３０は、螺子係合の解除により、容器口部２０の外面に沿って上昇し、係合突起３４ａは、容器口部２０の外面に形成されている顎部２３を乗り越えることとなる。一方、オーバーキャップ４０では、バンド部４４の係合突起４４ａが容器口部２０のサポートリング２５に強く係合しているため、その上昇は制限されている。従って、オーバーキャップ４０の開栓方向への回転を続けていくと、インナーキャップ３０の頂板３１に設けられている突起（カッター）３６がオーバーキャップ４０の頂壁パネルに取り付けられているＩＣタグ１０の開封検出用回路９を突き破り、さらに回転を続けていくと、オーバーキャップ４０はインナーキャップ３０により上方に押され、従って、バンド部４４の係合突起４４ａが容器口部２０のサポートリング２５を乗り越え、インナーキャップ３０と共に上昇し、インナーキャップ３０に被せられたまま、容器口部２０から取り外されることとなる。
【００４７】
このようにして容器口部２０から取り外されたインナーキャップ３０及びオーバーキャップ４０は、インナーキャップ３０にオーバーキャップ４０が被せられたまま、容器口部２０に装着してリシールに供することもできるし、オーバーキャップ４０を外してインナーキャップ３０のみをリシールに供することもできる。
【００４８】
上述した説明から理解されるように、インナーキャップ３０が一旦容器口部２０から取り外されて容器が開封されると、オーバーキャップ４０に設けられているＩＣタグ１０中の開封検出用回路９が破断するが、ＩＣチップ３やアンテナ５及びリード線７は破壊されていないため、外部読み取り装置によってＩＣチップ３に入力されている情報を読み取ることができ、この情報の中には、開封検出用回路９が破断されているという情報も含まれる。
従って、インナーキャップ３０にオーバーキャップ４０が被せられたまま、容器口部２０に装着してリシールされていた場合にも、一般の需要者は、例えば携帯電話などを用いてＩＣチップ３の情報を読み取ることにより、開封の事実を正確に読み取り、認識することができる。このことから、このような包装体は、いたずら防止機能に優れ、また内容物入れ替えなどの不正使用も、開封事実を認識することにより有効に防止することができる。
【００４９】
尚、かかるスライド式包装容器において、ＩＣタグ１０は、インナーキャップ３０の頂板３１の上面に取り付けることも可能であり、この場合には、オーバーキャップ４０の頂壁パネル４１の下面にカッターとなる突起３６を設け、頂板部３１の上面の中心に突起３６を受ける凹部４６を形成することとなる。
【００５０】
このようなスライド式包装容器では、オーバーキャップを開栓方向に回転させるという単純な操作のみで、ＩＣタグ１０（開封検出用回路９）の破壊及びインナーキャップ３０の容器口部２０から取り外し（開封）をおこなうことができる。
【００５１】
＜逆螺子型包装容器＞
図５乃至図８を参照して、このタイプの包装容器も、前述したスライド式包装容器と同様、容器の口部２０に、螺子係合によりインナーキャップ３０が装着されており、このインナーキャップ３０の上に、オーバーキャップ４０が被せられている。
【００５２】
即ち、容器口部２０の外面には、上から順に、螺条２１、顎部２３及びサポートリング２５が形成されている。
【００５３】
インナーキャップ３０は、頂板３１と、頂板周縁から降下している筒状壁３２とを有しており、筒状壁３２の内面には、図５に示されているように、容器口部２０の外面の螺条２１と螺子係合する螺条３３が設けられており、この螺子係合により、インナーキャップ３０は、容器口部２０に保持されている。
【００５４】
また、インナーキャップ３０の頂板３１の下面の周縁部分には、前記筒状壁３２と間隔をおいて、インナーリング３５が設けられている（図５参照）。即ち、前述したスライド式包装容器と同様、容器口部２０の上端は、筒状壁３２とインナーリング３５との間の空間に入り込んでおり、インナーリング３５の外面が容器口部２０の上端部分の内面に密着して密封性が確保される。
【００５５】
この逆螺子型包装容器においても、頂板３１の上面には、その中心部分に、カッターとなる突起３６が形成されており、この突起３６により、オーバーキャップ４０に取り付けられているＩＣタグ１０の開封検出用回路９を破断するようになっている。
【００５６】
かかる逆螺子型包装容器では、インナーキャップ３０の筒状壁３２の外面には、オーバーキャップ４０と螺子係合する螺条３７が設けられている。
また、筒状壁３２の下方部分は裾広がり部３２ａとなっている。
【００５７】
一方、オーバーキャップ４０は、頂壁パネル４１と、頂壁パネル４１の周縁から降下したスカート４２とを有している。
【００５８】
スカート４２の内面には、インナーキャップ３０の筒状壁３２の外面の螺条３７と螺子係合する螺条４７が設けられているが、この螺子係合は、インナーキャップ３０の内面と容器口部２０の外面の螺子係合（螺条２１と螺条３３との螺子係合）とは逆螺子の関係にある。即ち、オーバーキャップ４０とインナーキャップ３０との螺子係合が開放される回転方向は、インナーキャップ３０は、容器口部２０との螺子係合が締まる回転方向となり、オーバーキャップ４０をインナーキャップ３０との螺子係合が締まる回転方向は、インナーキャップ３０と容器口部２０との螺子係合が開放される回転方向となる。
また、スカート４２の内面の下端は、若干内包に突出した段差部４８となっており、この段差部４８が、インナーキャップ３０の筒状壁３２の裾広がり部３２ａの下端に係合しており、これにより、オーバーキャップ４０のすっぽ抜けが有効に防止されている。
【００５９】
さらに、スカート４２の下端には、ストッパーバンド５０が、引き裂き可能な橋絡部５１を介して連結されており、このバンド５０の外面には、これを引き剥がす際の摘み５３設けられている。即ち、このストッパーバンド５０は、摘み５３を周方向に引っ張ることにより、橋絡部５１が引き裂かれ、スカート４２から容易に引き剥がされる。
尚、図７では、ストッパーバンド５０が引き剥がされた状態のオーバーキャップ４０が示されている。
【００６０】
さらに、ストッパーバンド５０の内面には、若干凹んだ凹面５０ａが形成され、その下端には、係合突起５５が形成されている。図５から理解されるように、サポートリング２５が、この凹面５０ａ内に入り込むことにより、前述したスカート４２の内面の下端の段差４８と筒状壁３２の裾広がり部３２ａとの係合と相俟って、オーバーキャップ４０の上昇が規制され、係合突起５５が容器口部２０の外面のサポートリング２５の下面と係合することにより、オーバーキャップ４０の降下が規制されている。
【００６１】
さらに、頂壁パネル４１は、スライド式包装容器と全く同様、その下面の中心部分に、インナーキャップ３０の頂板３１の上面に設けられている突起（カッター）３６を受け入れ可能な凹部４６が設けられている共に、ＩＣタグ１０が取り付けられている（図５参照）。尚、図７では、このＩＣタグ１０及び前述した係合片４２ａは省略されている。
【００６２】
このＩＣタグ１０も、その大きさに応じて嵌め込み等の機械的手段で頂壁パネル４１の下面に取り付けられていてもよいし、接着剤或いはヒートシールなどにより取り付けられていてもよい。
また、凹部４６上に位置する部分にＩＣタグ１０の開封検出回路９が位置するように、ＩＣタグ１０が取り付けられる。
【００６３】
このような包装体は、容器口部２０に装着されているインナーキャップ３０に被せての打栓によりオーバーキャップ４０を設けたとき、上述したストッパーバンド５０（凹部５０ａ及び係合突起５５）と容器口部２０（サポートリング２５）との係合により、オーバーキャップ４０の頂壁パネル４１の下面とインナーキャップ３０の頂板３１の上面との間に一定の間隔が確保され、ＩＣタグ１０（開封検出用回路９）が破断されないように、オーバーキャップ４０が保持されている。
【００６４】
上記のような構造を有する本発明の逆螺子型包装体の開封操作では、先ず、摘み５３を持っての引き剥がしを行い、ストッパーバンド５０をオーバーキャップ４０（スカート４２）から切り離し、これにより、オーバーキャップ４０は、上昇可能となる。
次いで、図８に示されているように、オーバーキャップ４０をインナーキャップ３０が容器口部２０から解放される方向（開栓方向、図中、矢印で示す）に回転すると、スカート４２の内面の螺条４７とインナーキャップ３０の螺条３７との螺子係合により（キャップ３０と容器口部との螺子係合に対して逆螺子の関係にある）、オーバーキャップ４０はインナーキャップ３０に対して相対的に締まる方向に降下するが、インナーキャップ３０は、開栓方向に回転し、容器口部２０との螺子係合が解除されていき、容器口部２０に対して上昇していく。
従って、オーバーキャップ４０の開栓方向への回転を続けていくと、インナーキャップ３０の頂板３１に設けられている突起（カッター）３６がオーバーキャップ４０の頂壁パネルに取り付けられているＩＣタグ１０の開封検出用回路９を突き破り、さらに回転を続けていくと、オーバーキャップ４０はインナーキャップ３０と共に上昇し、インナーキャップ３０に被せられたまま、容器口部２０から取り外されることとなる。
【００６５】
このようにして容器口部２０から取り外されたインナーキャップ３０及びオーバーキャップ４０は、インナーキャップ３０にオーバーキャップ４０が被せられたままの打栓により、容器口部２０に装着してリシールに供することもできるし、オーバーキャップ４０を外してインナーキャップ３０のみをリシールに供することもできる。
【００６６】
上述したように、この逆螺子型包装容器においても、インナーキャップ３０が一旦容器口部２０から取り外されて容器が開封されると、オーバーキャップ４０に設けられているＩＣタグ１０中の開封検出用回路９が破断するが、ＩＣチップ３やアンテナ５及びリード線７は破壊されていないため、外部読み取り装置によってＩＣチップ３に入力されている情報を読み取ることができ、この情報の中には、開封検出用回路９が破断されているという情報が含まれている。
従って、インナーキャップ３０にオーバーキャップ４０が被せられたまま、容器口部２０に装着してリシールされていた場合にも、一般の需要者は、例えば携帯電話などを用いてＩＣチップ３の情報を読み取ることにより、開封の事実を正確に読み取り、認識することができる。このことから、このような包装体は、いたずら防止機能に優れ、また内容物入れ替えなどの不正使用も、開封事実を認識することにより有効に防止することができる。
【００６７】
尚、このような逆螺子型包装容器においても、ＩＣタグ１０は、インナーキャップ３０の頂板３１の上面に取り付けることも可能であり、この場合には、オーバーキャップ４０の頂壁パネル４１の下面にカッターとなる突起３６を設け、頂板部３１の上面の中心に突起３６を受ける凹部４６を形成することとなる。
【００６８】
かかる逆螺子型包装容器は、ストッパーバンド５０を切り離さないと開封操作を行うことができないため、ＩＣタグ１０（開封検出用回路９）の破断とストッパーバンド５０の切り離しとの両方で開封を検出することができるため、内容物の品質保証機能に極めて優れている。
【００６９】
＜嵌合型包装容器＞
図９乃至図１１を参照して、嵌合型包装容器においても、容器の口部２０に、螺子係合によりインナーキャップ３０が装着されており、このインナーキャップ３０の上に、オーバーキャップ４０が被せられている。
【００７０】
容器口部２０の外面は、前述したスライド型及び逆螺子型の包装容器と同様であり、上から順に、螺条２１、顎部２３及びサポートリング２５が形成されている。
【００７１】
インナーキャップ３０は、頂板３１と、頂板周縁から降下している筒状壁３２とを有しており、筒状壁３２の内面には、図５に示されているように、容器口部２０の外面の螺条２１と螺子係合する螺条３３が設けられており、この螺子係合により、インナーキャップ３０は、容器口部２０に保持されている。
また、筒状壁３２の外面には、その上部に、インナーキャップ３０のリシール時の開栓や閉栓に際しての手での回転を容易に行えるようにローレットが形成されている。
また、筒状壁３２の下方部分は裾広がり部３２ａとなっている。
【００７２】
インナーキャップ３０の頂板３１の下面の周縁部分には、前記筒状壁３２と間隔をおいて、インナーリング３５が形成されており（図９参照）、容器口部２０の上端が、筒状壁３２とインナーリング３５との間の空間に入り込み、インナーリング３５の外面が容器口部２０の上端部分の内面に密着して密封性が確保されている。
【００７３】
また頂板３１の上面には、その中心部分に、カッターとなる突起３６が形成されており、この突起３６により、オーバーキャップ４０に取り付けられているＩＣタグ１０の開封検出用回路９を破断するようになっている。
【００７４】
さらに、この嵌合型包装容器では、図１０に示されているように、頂板３１の上面の周縁部には、適当な間隔を置いて、嵌合用切り欠き部６０が形成されており、この切り欠き部６０にオーバーキャップ４０が係合せしめることにより、オーバーキャップ４０を回転することにより、インナーキャップ３０を回転させることができる。
【００７５】
一方、オーバーキャップ４０は、頂壁パネル４１と、頂壁パネル４１の周縁から降下したスカート４２とを有しているとともに、スカート４２の内面の下端は、若干内包に突出した段差部４８となっている。即ち、この段差部４８が、インナーキャップ３０の筒状壁３２の裾広がり部３２ａの下端に係合しており、これにより、オーバーキャップ４０のすっぽ抜けが有効に防止されている。
【００７６】
また、スカート４２の下端には、前述した逆螺子型包装容器と同様、ストッパーバンド５０が、引き裂き可能な橋絡部５１を介して連結されており、このバンド５０の外面には、これを引き剥がす際の摘み５３設けられている。
即ち、このストッパーバンド５０は、摘み５３を周方向に引っ張ることにより、橋絡部５１が引き裂かれ、スカート４２から容易に引き剥がされる。
【００７７】
また、ストッパーバンド５０の内面には、凹んだ凹面５０ａが形成されている。図９から理解されるように、サポートリング２５が、この凹面５０ａ内に入り込んでおり、オーバーキャップ４０のさらなる降下が規制されている。
【００７８】
さらに、頂壁パネル４１は、スライド式包装容器と全く同様、その下面の中心部分に、インナーキャップ３０の頂板３１の上面に設けられている突起（カッター）３６を受け入れ可能な凹部４６が設けられている共に、ＩＣタグ１０が取り付けられている（図９参照）。
図１１では、このＩＣタグ１０は省略されている。
【００７９】
このＩＣタグ１０も、その大きさに応じて嵌め込み等の機械的手段で頂壁パネル４１の下面に取り付けられていてもよいし、接着剤或いはヒートシールなどにより取り付けることもできる。
また、凹部４６上に位置する部分にＩＣタグ１０の開封検出回路９が位置するように、ＩＣタグ１０が取り付けられる。
【００８０】
さらに、頂壁パネル４１の下面には、その周縁部に、前述したインナーキャップ３０の嵌合用切り欠き部６０に対応するように、嵌合用凸部６２が形成されている（図１１参照）。
即ち、この包装体においては、オーバーキャップ４０が被せられているインナーキャップ３０の打栓により、これらのキャップ３０，４０が容器口部２０に装着されるが、このとき、嵌合用凸部６２が嵌合用切り欠き部６０上に位置するように設定されている。また、上述したストッパーバンド５０（凹部５０ａ）と容器口部２０（サポートリング２５）との係合により、オーバーキャップ４０の頂壁パネル４１の下面とインナーキャップ３０の頂板３１の上面との間には、ＩＣタグ１０（開封検出用回路９）が破断されないように一定の間隔が確保されている。
【００８１】
このような構造を有する嵌合型包装体の開封操作においても、前述した逆螺子型包装容器と同様、先ず、摘み５３を持っての引き剥がしを行い、ストッパーバンド５０をオーバーキャップ４０（スカート４２）から切り離し、これにより、オーバーキャップ４０は、降下可能となる。
次いで、このオーバーキャップ４０を押し込むことにより、嵌合用凸部６２が嵌合用切り欠き部６０内に嵌め込まれると同時に、インナーキャップ３０の頂板３１に設けられている突起（カッター）３６がオーバーキャップ４０の頂壁パネルに取り付けられているＩＣタグ１０の開封検出用回路９を突き破り、凹部４６内に侵入することとなる。
この後、オーバーキャップ４０を開栓方向に回転させると、嵌合用凸部６２が嵌合用切り欠き部６０内に嵌め込まれているため、インナーキャップ３０も開栓方向に回転し、容器口部２０との螺子係合が解除されていき、オーバーキャップ４０が被せられたまま、インナーキャップ３０が容器口部２０から取り外されることとなる。
【００８２】
このようにして容器口部２０から取り外されたインナーキャップ３０及びオーバーキャップ４０は、インナーキャップ３０にオーバーキャップ４０が被せられたまま、容器口部２０に装着してリシールに供することもできるし、オーバーキャップ４０を外してインナーキャップ３０のみをリシールに供することもできる。
【００８３】
上述したように、この嵌合型包装容器においても、インナーキャップ３０が一旦容器口部２０から取り外されて容器が開封されると、オーバーキャップ４０に設けられているＩＣタグ１０中の開封検出用回路９が破断するが、ＩＣチップ３やアンテナ５及びリード線７は破壊されていないため、外部読み取り装置によってＩＣチップ３に入力されている情報を読み取ることができ、この情報の中には、開封検出用回路９が破断されているという情報が含まれている。
即ち、インナーキャップ３０にオーバーキャップ４０が被せられたまま、容器口部２０に装着してリシールされていた場合にも、一般の需要者は、例えば携帯電話などを用いてＩＣチップ３の情報を読み取ることにより、開封の事実を正確に読み取り、認識することができる。このことから、このような包装体は、いたずら防止機能に優れ、また内容物入れ替えなどの不正使用も、開封事実を認識することにより有効に防止することができる。
【００８４】
尚、このような嵌合型包装容器においても、ＩＣタグ１０は、インナーキャップ３０の頂板３１の上面に取り付けることも可能であり、この場合には、オーバーキャップ４０の頂壁パネル４１の下面にカッターとなる突起３６を設け、頂板部３１の上面の中心に突起３６を受ける凹部４６を形成することとなる。
また、嵌合用切り欠き部６０に相当する凹部や溝をオーバーキャップ４０の頂壁パネル４１の下面に形成し、嵌合用凸部６２をインナーキャップ３０の頂板３１の上面に設けることも可能である。
【００８５】
かかる嵌合型包装容器の開封には、ストッパーバンド５０を切り離し、さらにオーバーキャップ４０を押し込んでの回転という操作が必要であり、従って、幼児が簡単に開封を行ってしまうという不都合を有効に防止することができ、チャイルドレジスタンス性に優れている。
また、ＩＣタグ１０（開封検出用回路９）の破断とストッパーバンド５０の切り離しとの両方で開封を検出することができるため、内容物の品質保証機能に極めて優れている。
【００８６】
さらに、上述した嵌合型包装容器においては、インナーキャップ３０及びオーバーキャップ４０を容器口部２０に位置ずれなく正確に装着するために、オーバーキャップ４０のスカート４２の外面に、位置決め用の縦リブを適宜の数設けることが好ましい。
即ち、この包装容器では、始めにオーバーキャップ４０をインナーキャップ３０に被せるが、このとき、嵌合用凸部６２が嵌合用凹部６０の間に位置するように、位置決めリブを用いて設定する。これにより、オーバーキャップ４０（嵌合用凸部６２）が深く降下してのＩＣタグ１０の破断を確実に防止することができる。
また、上記のようにしてオーバーキャップ４０が被せられているインナーキャップ３０は、容器口部２０に打栓され、次いで、オーバーキャップ４０を閉栓方向に回転させ、先に述べた位置決めリブの位置を利用して、嵌合用凸部６２が嵌合用凹部６０上に位置するように設定することにより、図９に示されている構造の嵌合式包装容器が組み立てられる。
【００８７】
＜ラチェット型包装容器＞
図１３乃至図１５を参照して、ラチェット型包装容器も、容器の口部２０に、螺子係合によりインナーキャップ３０が装着されており、このインナーキャップ３０の上に、オーバーキャップ４０が被せられている。
【００８８】
容器口部２０の外面も、前述した各種のタイプの包装容器と同様であり、上から順に、螺条２１、顎部２３及びサポートリング２５が形成されている。
【００８９】
インナーキャップ３０は、頂板３１と、頂板周縁から降下している筒状壁３２とを有しており、筒状壁３２の内面には、図１３に示されているように、容器口部２０の外面の螺条２１と螺子係合する螺条３３が設けられており、この螺子係合により、インナーキャップ３０は、容器口部２０に保持されている。
【００９０】
頂板３１の下面の周縁部分には、前記筒状壁３２と間隔おいて、インナーリング３５が形成されており、容器口部２０の上端が、筒状壁３２とインナーリング３５との間の空間に入り込み、インナーリング３５の外面が容器口部２０の上端部分の内面に密着して密封性が確保されている。
【００９１】
また、図１４に示されているように、筒状壁３２の外面には、その上端から鉛直方向下方に延びている縦溝７０が形成されており、この縦溝７０の下端からは、インナーキャップ３０の開栓方向に向かって周方向に延びている有端のラチェット溝７３が形成されている。即ち、ラチェット型包装容器では、ラチェット溝７３を利用しての係合により、オーバーキャップ４０によるインナーキャップ３０の開栓が行われる。
【００９２】
さらに、図１４から理解されるように、このタイプの包装容器では、ＩＣタグ１０は、インナーキャップ３０の頂板３１の上面から筒状壁３２の外面にかけて、接着剤などを用いて貼り付けられており、特に、ラチェット溝７３に被さるようにして設けられている。即ち、ＩＣタグ１０は、以下に述べるカット爪７５がラチェット溝７３を通るときに破断するものであり、従って、開封検出用回路９がラチェット溝７３上に位置するようにＩＣタグ１０は取り付けられている。
従って、この態様においては、ＩＣタグ１０の形状は、一般に矩形である。
【００９３】
一方、オーバーキャップ４０は、頂壁パネル４１と、頂壁パネル４１の周縁から降下したスカート４２とを有しており、スカート４２の下端には、前述した逆螺子型包装容器と同様、ストッパーバンド５０が、引き裂き可能な橋絡部５１を介して連結されており、このバンド５０の外面には、これを引き剥がす際の摘み５３が設けられている。
即ち、このストッパーバンド５０は、摘み５３を周方向に引っ張ることにより、橋絡部５１が引き裂かれ、スカート４２から容易に引き剥がされる。
【００９４】
ストッパーバンド５０の内面には、凹んだ凹面５０ａが形成されている。図１３から理解されるように、サポートリング２５が、この凹面５０ａ内に入り込んでおり、オーバーキャップ４０のさらなる降下が規制されている。
【００９５】
また、図１５に示されているように、スカート４２の内面の下端部には、上向きのフラップ片７５が形成されている。図１３から理解されるように、上記フラップ片７５がインナーキャップ３０のスカート３２の下端面に係合しており、これにより、インナーキャップ３０の頂板３１とオーバーキャップ４０の頂壁パネル４１との間には一定の間隙が形成されているが、オーバーキャップ４０がすっぽ抜けないようになっている。
【００９６】
さらに、図１５に示されているように、このオーバーキャップ４０のスカート４２の内面の上方部分には、カット爪７７が設けられている。即ち、このカット爪７７は、前述したインナーキャップ３０の筒状壁３２の外面に形成されている縦溝７０内に嵌め込まれている。
【００９７】
即ち、この包装体は、容器口部２０に装着されているインナーキャップ３０に被せての打栓によりオーバーキャップ４０が装着されるが、このとき、オーバーキャップ４０は、カット爪７７が縦溝７０と係合するように位置合わせされる。この位置合わせを正確に行うために、例えば、オーバーキャップ４０のスカート４２の外面に、カット爪７７の位置に対応させて位置決め用の縦リブなどを形成しておくことができる。
また、カット爪７７が縦溝７０内に保持されているときは、カット爪７７の移動によるＩＣタグ１０の破断が生じることは無い。
【００９８】
このような構造を有するラチェット型包装体の開封操作も、摘み５３を持ってのストッパーバンド５３の引き剥がしから開始される。即ち、ストッパーバンド５０をオーバーキャップ４０（スカート４２）から切り離し、これにより、オーバーキャップ４０が降下可能となり、オーバーキャップ４０を押し込むことにより、カット爪７７が、開栓方向に延びているラチェット溝７３内に侵入する。
従って、この状態でオーバーキャップ４０を開栓方向に回転させると、カット爪７７がラチェット溝７３内を開栓方向に旋回しながらオーバーキャップ４０は空回りする。このようにして、カット爪７７がＩＣタグ１０が被せられている部分を通過するときに、ＩＣタグ１０（開封検出用回路９）の破断が生じるわけである。
この後、オーバーキャップ４０をさらに、開栓方向に回転させると、カット爪７７がラチェット溝７３の端部７３ａに当接し、これにより、インナーキャップ３０もオーバーキャップ４０と一体となって開栓方向に回転し、容器口部２０との螺子係合が解除されていき、オーバーキャップ４０が被せられたまま、インナーキャップ３０が容器口部２０から取り外されることとなる。
【００９９】
このようにして容器口部２０から取り外されたインナーキャップ３０及びオーバーキャップ４０は、インナーキャップ３０にオーバーキャップ４０が被せられたまま、容器口部２０に装着してリシールに供することもできるし、オーバーキャップ４０を外してインナーキャップ３０のみをリシールに供することもできる。
【０１００】
上述したラチェット式包装容器においても、ＩＣチップ３やアンテナ５及びリード線７を破壊せず、開封検出用回路９を選択的に破壊される。従って、インナーキャップ３０にオーバーキャップ４０が被せられたまま、容器口部２０に装着してリシールされていた場合にも、一般の需要者は、例えば携帯電話などを用いてＩＣチップ３の情報を読み取ることにより、開封の事実を正確に読み取り、認識することができる。このことから、このような包装体は、いたずら防止機能に優れ、また内容物入れ替えなどの不正使用も、開封事実を認識することにより有効に防止することができる。
【０１０１】
また、ラチェット式包装容器においても、ＩＣタグ１０（開封検出用回路９）の破断に加えて、ストッパーバンド５０の切り離しが開封の事実を明示するため、内容物の品質保証機能に極めて優れている。
【０１０２】
尚、上述した図２〜図１５に示されている包装容器では、ＩＣタグ１０に開封を検出するための専用の開封検出用回路９が形成されており、開封に際して、この回路９が破断される構造となっているが、このような回路９を省略することもできる。即ち、このような場合には、アンテナ５を含む回路（例えばリード線７）は開封に際して破断されるように、オーバーキャップ４０（或いはインナーキャップ３０）の所定位置に配置すればよい。この場合には、容器口部２０の開封により、ＩＣチップ３からの情報の読み取りが不能となり、これにより、容器口部２０が開封された事実を認識することができる。
【０１０３】
本発明の包装容器では、ＩＣタグ１０は、オーバーキャップ４０或いはインナーキャップ３０に取り付けられ、別個の部材にまたがるようにして設けられるものではなく、また、開封に際して切り取られてしまうバンド部にＩＣタグ１０が取り付けられることはなく、従って、ＩＣタグ１０の取り付け作業、インナーキャップ３０やオーバーキャップ４０のキャッピング作業も容易に行うことがで、これらの作業に際してのＩＣタグの破断も有効に防止されている。
また、オーバーキャップ４０の開栓と連動して容器口部２０をシールしているインナーキャップ３０の開栓が行われる為、容器口部の開封に手間がかからない。
【０１０４】
さらに、上述した本発明の包装容器は、既存の包装容器にも効果的に適用することができる。例えば、図１６に示されているように、内容物が充填され且つ口部にキャップ１００が装着されている既存の包装容器１０５のノズル部に、これを取り囲むように、前述した容器口部２０に対応する外面を有する割型１１０，１１０を嵌め込む。この状態で、前述した各種タイプのインナーキャップ３０及びオーバーキャップ４０を設けることにより、本発明を既存の包装容器１０５に適用することが可能となる。
この場合、インナーキャップ３０及びオーバーキャップ４０を前述した方法で除去した後、割型１１０，１１０を取り外し、さらに、キャップ１００を常法にしたがって取り外すことにより、容器内容物を取り出すことができる。
【０１０５】
尚、上述した各種タイプのインナーキャップ３０やオーバーキャップ４０は、熱可塑性樹脂の圧縮成形、射出成形等により製造されるものであり、このような熱可塑性樹脂としては、ポリエチレン、ポリプロピレン、エチレン−プロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂或いはポリカーボネート等が使用される。
【符号の説明】
【０１０６】
３：ＩＣチップ
５：アンテナ
９：開封検知用回路
１０：ＩＣタグ
２０：容器口部
３０：インナーキャップ
３６：突起（カッター）
４０：オーバーキャップ
【図１】
2014005032.tif 000003
【図２】
2014005032.tif 000004
【図３】
2014005032.tif 000005
【図４】
2014005032.tif 000006
【図５】
2014005032.tif 000007
【図６】
2014005032.tif 000008
【図７】
2014005032.tif 000009
【図８】
2014005032.tif 000010
【図９】
2014005032.tif 000011
【図１０】
2014005032.tif 000012
【図１１】
2014005032.tif 000013
【図１２】
2014005032.tif 000014
【図１３】
2014005032.tif 000015
【図１４】
2014005032.tif 000016
【図１５】
2014005032.tif 000017
【図１６】
2014005032.tif 000018